【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
該遊技用記録媒体受付手段にて受け付けた遊技用記録媒体に記録されている遊技用価値特定情報から特定される遊技用価値の大きさに基づいて遊技媒体を遊技者に貸与するための貸与処理を行う貸与処理手段と、
遊技媒体を計数して取り込む計数手段と、
該計数手段にて計数した計数遊技媒体数の範囲内の遊技媒体を払い出して遊技者に返却するための払出処理を行う払出処理手段と、
前記遊技用記録媒体受付手段にて受け付けた遊技用記録媒体を遊技者に返却するための返却操作を受け付けたことに基づいて、該遊技用記録媒体の記録情報から前記計数遊技媒体数を特定可能とした当該遊技用記録媒体を返却する返却処理を行う返却処理手段と、
離席操作を受け付けたことに基づいて、前記対応する遊技機からの離席を特定するときに用いられる離席特定情報が記録された前記遊技用記録媒体を返却し、該返却した遊技用記録媒体以外の遊技用記録媒体に基づく処理を規制する離席モードとする離席処理を行う離席処理手段と、
前記離席モード中に、前記離席特定情報が記録された遊技用記録媒体を受け付けたことに基づいて、当該離席モードを解除する解除処理を行う解除処理手段と、を有し、
前記返却処理手段は、
前記特定される遊技用価値の大きさが零でない場合に、前記返却処理を行い、
前記特定される遊技用価値の大きさが零であり、かつ前記計数遊技媒体数が零である場合には、前記返却処理を行わない遊技用装置であって、
前記返却操作を受け付けたことに基づき、前記特定される遊技用価値の大きさが零であり、かつ前記計数遊技媒体数が所定の遊技媒体数未満の特定数である場合には、当該特定数の遊技媒体を払い出すための払出処理を行うと共に、前記返却処理を行わず、
前記離席操作を受け付けたことに基づき、前記特定される遊技用価値の大きさが零であり、かつ前記計数遊技媒体数が前記特定数である場合には、該特定数の遊技媒体を払い出すための払出処理を行わずに、前記離席処理を行うことを特徴とする遊技用装置。
【手続補正２】
【補正対象書類名】明細書
【補正対象項目名】０００７
【補正方法】変更
【補正の内容】
【０００７】
まず手段１に係る発明は、
遊技機（パチンコ機２）に１対１に対応して設けられ、
遊技者に対して発行され当該遊技者の所有する遊技用価値の大きさ（プリペイド残額）を特定可能な遊技用価値特定情報（プリペイド残額データ）が記録された遊技用記録媒体（ビジターカード）を受け付ける遊技用記録媒体受付手段（カードリーダライタ３２７）と、
該遊技用記録媒体受付手段にて受け付けた遊技用記録媒体に記録されている遊技用価値特定情報から特定される遊技用価値の大きさに基づいて遊技媒体を遊技者に貸与するための貸与処理（Ｓｂ２１）を行う貸与処理手段（制御ユニット３２８）と、
遊技媒体を計数して取り込む計数手段（計数払出ユニット３４８，３４８’）と、
該計数手段にて計数した計数遊技媒体数（持玉数）の範囲内の遊技媒体を払い出して遊技者に返却するための払出処理（Ｓｂ２５）を行う払出処理手段（制御ユニット３２８）と、
前記遊技用記録媒体受付手段にて受け付けた遊技用記録媒体を遊技者に返却するための返却操作を受け付けたこと（Ｓｂ５でＹＥＳ）に基づいて、該遊技用記録媒体の記録情報から前記計数遊技媒体数を特定可能とした当該遊技用記録媒体を返却する返却処理（Ｓｂ２３ｂ）を行う返却処理手段（制御ユニット３２８）と、
離席操作を受け付けたこと（Ｓｂ８でＹＥＳ）に基づいて、前記対応する遊技機からの離席を特定するときに用いられる離席特定情報（カードＩＤ）が記録された前記遊技用記録媒体を返却し、該返却した遊技用記録媒体以外の遊技用記録媒体に基づく処理を規制する離席モードとする離席処理（Ｓ５０３及びＳ５０４）を行う離席処理手段（制御ユニット３２８）と、
前記離席モード中に、前記離席特定情報が記録された遊技用記録媒体を受け付けたこと（Ｓ５４１及びＳ５４２でＹＥＳ）に基づいて、当該離席モードを解除する解除処理（Ｓ５２５ａ及びＳ５２５ｃ）を行う解除処理手段（制御ユニット３２８）と、を有し、
前記返却処理手段は、
前記特定される遊技用価値の大きさが零でない場合（Ｓ２２０でＮＯ）に、前記返却処理を行い、
前記特定される遊技用価値の大きさが零であり（Ｓ２２０でＹＥＳ）、かつ前記計数遊技媒体数が零である場合には、前記返却処理を行わない遊技用装置（カードユニット３，３’）であって、
前記返却操作を受け付けたことに基づき、前記特定される遊技用価値の大きさが零であり（Ｓ２２０でＹＥＳ）、かつ前記計数遊技媒体数が所定の遊技媒体数未満の特定数である（Ｓ２３１，又はＳ２３１’でＹＥＳ）場合には、当該特定数の遊技媒体を払い出すための払出処理（Ｓ２３３，又はＳ２３５’及び／又はＳ２３７’）を行うと共に、前記返却処理を行わず、
前記離席操作を受け付けたことに基づき、前記特定される遊技用価値の大きさが零であり、かつ前記計数遊技媒体数が前記特定数である場合には、該特定数の遊技媒体を払い出すための払出処理を行わずに、前記離席処理（Ｓ５０３及びＳ５０４）を行うことを特徴とする遊技用装置である。
これによれば、返却操作を受け付けた場合において、遊技用価値の大きさが零であり、かつ計数遊技媒体数が所定未満端数であれば、該計数遊技媒体数を払い出すと共に、遊技用記録媒体を返却せずに留保するので、少ない計数遊技媒体数を特定可能な遊技用記録媒体が返却されて捨てられることによる遊技場の損失を防止できる一方、離席操作を受け付けた場合に、遊技用価値の大きさが零であり、かつ計数遊技媒体数が所定未満端数であっても、該計数遊技媒体数を払い出さずに、離席特定情報が記録された遊技用記録媒体を返却して離席モードにすることにより、当該遊技用記録媒体の受付に基づいて離席モードを解除できるので、離席をした遊技者の利便性を担保できる。
【手続補正３】
【補正対象書類名】明細書
【補正対象項目名】０００８
【補正方法】変更
【補正の内容】
【０００８】
また手段２に係る発明は、
手段１に記載した遊技用装置（カードユニット３，３’）であって、
前記遊技用記録媒体は、会員登録を行った遊技者が所有する会員用記録媒体（会員カード）であり、
前記会員用記録媒体を受け付けている状態で前記返却操作（Ｓｂ５でＹＥＳ）を受け付けたことに基づき、前記払出処理を行わずに、前記返却処理（Ｓ２１３）を行い、
前記会員用記録媒体を受け付けている状態で前記離席操作を受け付けたこと（Ｓｂ８でＹＥＳ）に基づき、前記払出処理を行わずに、前記離席処理（Ｓ５０３及びＳ５０４）を行うことを特徴とする遊技用装置である。
これによれば、遊技用記録媒体が会員用記録媒体の場合には、返却操作を受け付けた場合において、計数遊技媒体数を払い出さずに該会員用記録媒体を返却し、また離席操作を受け付けた場合において、計数遊技媒体数を払い出さずに該会員用記録媒体を返却して離席モードにすることにより、当該会員用記録媒体の受付に基づいて離席モードを解除できるので、離席をする会員遊技者の利便性を担保できる。
【手続補正４】
【補正対象書類名】明細書
【補正対象項目名】０００９
【補正方法】変更
【補正の内容】
【０００９】
また手段３に係る発明は、
手段１又は２に記載した遊技用装置（カードユニット３，３’）であって、
前記対応する遊技機（パチンコ機２）は、払出単位として予め定められた複数個（例えば２５玉）の遊技媒体（パチンコ玉）を遊技者に対して払い出すものであり、
前記貸与処理手段（制御ユニット３２８）は、前記特定される遊技用価値の大きさに基づいて前記払出単位の遊技媒体を前記対応する遊技機から払い出して遊技者に貸与するための前記貸与処理（Ｓｂ２１）を行い、
前記払出処理手段（制御ユニット３２８）は、前記払出処理を行う際に、前記計数遊技媒体数（持玉数）が前記払出単位（払出設定数）以上であること（Ｓｈ２でＹＥＳ）を条件として、該払出単位の遊技媒体を前記対応する遊技機から払い出して遊技者に返却するための単位払出処理（Ｓｈ８）を行う単位払出処理手段と、前記払出処理を行う際に、前記計数遊技媒体数が前記払出単位未満の単位未満端数であること（Ｓｈ３でＮＯ）を条件として、該単位未満端数の遊技媒体を払い出して遊技者に返却する単位未満払出処理（Ｓｈ５）を行う単位未満払出処理手段と、を含み、
少なくとも前記単位未満払出処理に基づく遊技媒体の払出を遊技者に認識させるための払出報知（Ｓ３１１及びＤ３１１）を行う払出報知手段（制御ユニット３２８，表示部３１２，及び発光装置３４７）をさらに有することを特徴とする遊技用装置である。
これによれば、払出報知を行うことにより、単位未満払出処理に基づく単位未満端数の遊技媒体の払出が、遊技機からではなく、当該遊技用装置から行われることを遊技者に認識させることができるので、遊技者が該払出に対して困惑するのを防止できる。
【手続補正５】
【補正対象書類名】明細書
【補正対象項目名】００１０
【補正方法】変更
【補正の内容】
【００１０】
また手段４に係る発明は、
手段３に記載した遊技用装置（カードユニット３，３’）であって、
前記単位未満払出処理を行うことにより遊技媒体を１つずつ払い出す毎に（Ｓ３１３でＹＥＳ）、既に払い出した遊技媒体数、及び／又は、これから払い出す遊技媒体数を更新表示する（Ｓ３１４及びＤ３１４）遊技媒体数更新表示手段（制御ユニット３２８及び表示部３１２）をさらに有することを特徴とする遊技用装置である。
これによれば、単位未満払出処理で遊技媒体を１つずつ払い出す毎に、既に払い出した遊技媒体数、及び／又は、これから払い出す遊技媒体数を更新表示するので、遊技者が該払出に対して不審に思うのを防止できる。
【手続補正６】
【補正対象書類名】明細書
【補正対象項目名】００１１
【補正方法】変更
【補正の内容】
【００１１】
また手段５に係る発明は、
手段３又は４に記載した遊技用装置（カードユニット３，３’）であって、
前記払出報知手段（制御ユニット３２８及び表示部３１２）は、前記単位未満払出処理により払い出した遊技媒体を遊技者が取り忘れることを防止するための報知（Ｓ３１６及びＤ３１６）を行うことを特徴とする遊技用装置である。
これによれば、単位未満払出処理で払い出した遊技媒体の取り忘れを防止できる。
【手続補正７】
【補正対象書類名】明細書
【補正対象項目名】００１２
【補正方法】変更
【補正の内容】
【００１２】
また手段６に係る発明は、
手段３〜５のいずれか１つに記載した遊技用装置（カードユニット３，３’）であって、
前記払出報知手段（制御ユニット３２８及び表示部３１２）は、前記単位払出処理に基づく前記遊技機からの遊技媒体の払出を遊技者に認識させるための報知（Ｓ４１１及びＤ４１１）を行うことを特徴とする遊技用装置である。
これによれば、単位払出処理に基づく払出単位の遊技媒体の払出が遊技機から行われることをさらに報知するので、単位払出処理に基づく遊技機からの払出又は単位未満払出処理に基づく遊技用装置からの払出のいずれが行われるかを、遊技者が容易に認識できる。
【手続補正８】
【補正対象書類名】明細書
【補正対象項目名】００１３
【補正方法】変更
【補正の内容】
【００１３】
さらに手段７に係る発明は、
手段１〜６のいずれか１つに記載した遊技用装置（カードユニット３，３’）であって、
前記離席モード中に前記計数手段（計数払出ユニット３４８，３４８’）にて受け付けられた遊技媒体（パチンコ玉）の計数遊技媒体数を特定可能な計数特定情報が記録された遊技用記録媒体（ビジターカード）を返却するための離席中返却操作を受け付けた（Ｓ５２１ａでＹＥＳ）ことに基づいて、該遊技用記録媒体を返却する離席中返却処理（Ｓ５２６）を行う離席中返却処理手段（制御ユニット３２８及びカードリーダライタ３２７）と、
少なくとも該離席中返却処理後に当該離席モードを維持する維持処理（Ｓ５２７）を行う維持処理手段（制御ユニット３２８）と、をさらに有することを特徴とする遊技用装置である。
これによれば、離席モード中に計数手段にて受け付けられた遊技媒体の計数遊技媒体数を特定可能な計数特定情報が記録された遊技用記録媒体を返却する離席中返却処理が行われても、当該離席モードが維持されることにより、離席特定情報が記録された遊技用記録媒体の受付に基づいて離席モードを解除できるので、離席をした遊技者の利便性を担保できる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】